【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】
結合されたＡＢジブロックを含んでなり、該Ａは乳酸、ラクチド、グリコール酸、グリコライド、β−プロピオ・ラクトン、ε−カプロ・ラクトン、δ−グルタロ・ラクトン、δ−バレロ・ラクトン、β−ブチロ・ラクトン、ピバロ・ラクトン、α、α−ジエチルプロピオ・ラクトン、エチレン・カーボネート、トリメチレン・カーボネート、γ−ブチロ・ラクトン、ｐ−ジオキサノン、１、４−ジオキセパン−２−ワン、３−メチル−１、４−ジオキサン−２、５−ジオン、３、３−ジメチル−１−４−ジオキサン−２、５−ジオン、α−ヒドロキシブチル酸の環状エステル、α−ヒドロキシバレル酸、α−ヒドロキシ・イソバレル酸、α−ヒドロキシカプロ酸、α−ヒドロキシ−α−エチルブチル酸、α−ヒドロキシ・イソカポロイ酸、α−ヒドロキシ−α−メチルバレル酸、α−ヒドロキシヘプタノ酸、α−ヒドロキシステアル酸、α−ヒドロキシ・リグノセル酸、サリシル酸およびこれらの混合物からなる群から選ばれたモノマーの重合により誘導されたポリエステル・ユニットであり、Ｂはヒドロキシル、アミンまたはカルボキシル冠端化合物（非反応性基で冠端されている）から誘導されたものであり、該ヒドロキシル、アミンまたはカルボキシル冠端化合物は上記したモノマーの重合を始発して上記したポリエステル・ユニットを形成し、上記したＡＢジブロックがさらに１以上の結合剤または交差結合剤と反応してジ−ジブロック、多−ブロック、スター状ポリマーおよび櫛状ポリマーを形成することを特徴とするポリマー組成物。
【請求項２】
非反応性基がアルキル、アリル、アラルキル、置換アルキル、置換アリル、置換アラルキル、保護基または−Ｃ＝Ｃ−を含んだ基であることを特徴とする請求項１に記載の組成物。
【請求項３】
非反応性基がＣ1〜Ｃ12アルキル基であることを特徴とする請求項２に記載の組成物。
【請求項４】
結合剤が構造式
2001509519.tif 000001
を有した化合物であって、Ｒ’がＣ2〜Ｃ12（好ましくはＣ2〜Ｃ8）アルキレン基、シクロアルキルまたはシクロアルキルを含んだ基、アリルまたはアリルを含んだ基、４、４’−ジフェニル・メタン、トルエン、ナフタレン、４、４’−ジシクロ・ヘキシルメタン、シクロヘキシル、３、３’−ジメチル・フェニル、３、３’−ジメチル・ジフェニルメタン、４、６’−キシリレン、３、５、５−トリメチル・シクロヘキシル、２、２、４−トリメチル・ヘキサメチレンまたはｐ−フェニレンであることを特徴とする請求項１に記載の組成物。
【請求項５】
ジブロックが交差結合剤と反応してスターポリマーを形成することを特徴とする請求項４に記載の組成物。
【請求項６】
ポリエステルがポリ（ヒドロキシ・カルボキシル酸）を含んでいることを特徴とする請求項１に記載の組成物。
【請求項７】
ポリエステルが脂肪族ヒドロキシ・カルボキシル酸、またはＬ−乳酸、Ｄ、Ｌ−乳酸、グリコール酸、Ｌ−ラクチド、Ｄ、Ｌ−ラクチド、グリコライド、カプロラクトンまたはそれらの混合物からなる群から選ばれるエステルの重合から得られることを特徴とする請求項１に記載の組成物。
【請求項８】
前記の化合物がさらにバイオ活性剤を含んでいることを特徴とする請求項１に記載の組成物。
【請求項９】
構造式
2001509519.tif 000002
を有しており、ここでａは正の整数であり、ＸはＣ1〜Ｃ8アルキレン基であり、Ｒ1はＨまたはＣＨ3であり、Ｚはアミンまたはヒドロキシル基で冠端された単官能モノマーまたはポリマー化合物、またはブロック基または−Ｃ＝Ｃ−基を含んだアミンまたはヒドロキシル基で冠端された化合物から誘導され、該化合物がアルキルアミンまたはアルコール、アリルアミンまたはアルコール、アラルキルアミンまたはアルコール、または置換アルキルアミンまたはアルコール、置換アリルアミンまたはアルコールまたは置換アラルキルアミンまたはアルコールから選ばれるものであることを特徴とする組成物。
【請求項１０】
Ｚが構造式Ｍ−（Ｏ−Ｒ−）m−Ｙで表わされ、ここでｍは正の整数であり、ＹはＯまたはＮＨであり、ＲはＣ2〜Ｃ10アルキレン基であり、Ｍは非反応性基またはブロック基または−Ｃ＝Ｃ−基を含んだ基であることを特徴とする請求項９に記載の組成物。
【請求項１１】
ＭがＣ1〜Ｃ12アルキル基、アリル基、アラルキル基または置換Ｃ1〜Ｃ12アルキル基、アリル基、アラルキル基、ブロック基またはＣ＝Ｃ基から選ばれたものであることを特徴とする請求項１０に記載の組成物。
【請求項１２】
ＸがＣ1アルキレン基であることを特徴とする請求項１０に記載の組成物。
【請求項１３】
ＸがＣ2〜Ｃ8アルキレン基のときに、Ｒ1がＨであることを特徴とする請求項１０に記載の組成物。
【請求項１４】
化合物が置換または非置換Ｃ1〜Ｃ12アルキルアミンまたはアルコールであることを特徴とする請求項１０に記載の組成物。
【請求項１５】
構造式
2001509519.tif 000003
を有しており、ここでａは正の整数であり、Ｚはアミンまたはヒドロキシル基で冠端されたアミンまたはヒドロキシルを含んだ単官能モノマーまたはポリマー化合物、またはアミノまたはヒドロキシル基で冠端されてかつブロック基または−Ｃ＝Ｃ−基を含んだ化合物から誘導され、アミンまたはヒドロキシルを含んだ化合物はアルキルアミンまたはアルコール、アリルアミンまたはアルコール、アラルキルアミンまたはアルコール、または置換アルキルアミンまたはアルコール、置換アリルアミンまたはアルコール、置換アラルキルアミンまたはアルコール、から選ばれたものであり、ＸはＣ1〜Ｃ8アルキレン基であり、Ｒ”はＣ0〜Ｃ12アルキレン基またはヒドロキシルまたはカルボキシル酸置換アルキル基、シクロアルキル、ヒドロキシルを含んだシクロアルキル、またはシクロアルキルを含んだ基、アリルまたはアリルを含んだ基、オリゴエステルまたはポリエステル、またはポリオキシ・アルキレン鎖を含んだ基であり、Ｒ1はＨまたはＣＨ3であることを特徴とする組成物。
【請求項１６】
Ｚは構造式Ｍ−（Ｏ−Ｒ−）m−Ｙで表わされ（ｍは正の整数である）、ここでＹはＯまたはＮＨであり、ＲはＣ2〜Ｃ10アルキレン基であり、Ｍは非反応性基またはブロック基または−Ｃ＝Ｃ−基を含んだ基であることを特徴とする請求項１５に記載の組成物。
【請求項１７】
ＭはＣ1〜Ｃ12アルキル基、アリル基、アラルキル基、または置換Ｃ1〜Ｃ12アルキル基、アリル基、アラルキル基、ブロック基またはＣ＝Ｃを含んだ基であることを特徴とする請求項１６に記載の組成物。
【請求項１８】
Ｍはメチルまたはエチルであることを特徴とする請求項１７に記載の組成物。
【請求項１９】
ポリ（オキシアルキレン）鎖を含んだ基がポリ（エチレン・オキサイド）、ポリ（エチレン・オキサイド）−コ−ポリ（プロピレン・オキサイド）またはポリ（エチレン・オキサイド）豊鎖であることを特徴とする請求項１５に記載の組成物。
【請求項２０】
ＸがＣ2〜Ｃ8アルキレン基であるときに、Ｒ1がＨであることを特徴とする請求項１５に記載の組成物。
【請求項２１】
ＸがＣ1アルキレン基であることを特徴とする請求項１５に記載の組成物。
【請求項２２】
アミンまたはアルコールを含んだ化合物が置換または非置換Ｃ1〜Ｃ12アルキルアミンまたはアルコールであることを特徴とする請求項１５に記載の組成物。
【請求項２３】
構造式
2001509519.tif 000004
を有しており、ここでａは正の整数であり、Ｚがアミンまたはヒドロキシル基で冠端されたアミンまたはヒドロキシルを含んだ単官能モノマーまたはポリマー化合物、またはアミンまたはヒドロキシル基で冠端されてかつブロック基または−Ｃ＝Ｃ−基を含んだ化合物から誘導されるものであり、アミンまたはヒドロキシルを含んだ化合物がアルキルアミンまたはアルコール、アリルアミンまたはアルコール、アラルキルアミンまたはアルコール、または置換アルキルアミンまたはアルコール、置換アリルアミンまたはアルコール、置換アラルキルアミンまたはアルコール、から選ばれ、ＸはＣ1〜Ｃ8アルキレン基であり、Ｒ’はＣ2〜Ｃ12アルキレン基、シクロアルキルまたはシクロアルキルを含んだ基、アリルまたはアリルを含んだ基、４、４’−ジフェニル・メタン、トルエン、ナフタレン、４、４’−ジシクロ・ヘキシルメタン、シクロヘキシル、３、３’−ジメチル・フェニル、３、３’−ジメチル−ジフェニル・メタン、４、６’−キシリレン、３、５、５−トリメチル・シクロヘキシル、２、２、４−トリメチル・へクサメチレンまたはｐ−フェニレンまたはポリ（エチレン・オキサイド）を含んだまたはポリ（エチレン・オキサイド）豊鎖であり、Ｒ1はＨまたはＣＨ3であることを特徴とするポリマー組成物。
【請求項２４】
Ｚが構造式Ｍ−（Ｏ−Ｒ−）m−Ｙ−で表わされ、ここでｍは正の整数であり、ＹはＯまたはＮＨであり、ＲはＣ2〜Ｃ10アルキレン基であり、Ｍは非反応性基またはブロック基または−Ｃ＝Ｃ−基を含んだ基であることを特徴とする請求項２３に記載の組成物。
【請求項２５】
ＭがＣ1〜Ｃ12アルキル基、アリル基またはアラルキル基、または置換Ｃ1〜Ｃ12アルキル基、アリル基、アラルキル基、ブロック基またはＣ＝Ｃを含んだ基であることを特徴とする請求項２４に記載の組成物。
【請求項２６】
Ｍはメチルまたはエチルであることを特徴とする請求項２５に記載の組成物。
【請求項２７】
ＸがＣ2〜Ｃ8アルキレン基のときにＲ1がＨであることを特徴とする請求項２４に記載の組成物。
【請求項２８】
ＸがＣ1アルキレン基であることを特徴とする請求項２４に記載の組成物。
【請求項２９】
アミンまたはアルコールを含む化合物が置換または非置換Ｃ1〜Ｃ12アルキルアミンまたはアルコールであることを特徴とする請求項２４に記載の組成物。